(57)【特許請求の範囲】
【請求項１】
ピン碍子に沿わせるようにして電柱の上部に架設される電線を該ピン碍子に留めるための電線固定具であって、前記ピン碍子に被着するため中空でありかつ下面が開放される絶縁性のカバー部材と、前記カバー部材内に配置されると共に前記電線に掛止して該電線を固定するための掛止部材と、から構成され、前記掛止部材はその基端部が前記カバー部材の内周面に固着されると共に先端部には前記電線に掛止して該電線を前記ピン碍子に固定しておく電線掛止部を設けてなることを特徴とする電線固定具。
【請求項２】
前記掛止部材は弾性を備えた金属線からなり、前記カバー部材にはその一端側に内部と連通すると共に互いに反対方向へほぼ直線的に伸び前記電線が挿通される軸筒部をそれぞれ一体的に突設した請求項１記載の電線固定具。
【請求項３】
ピン碍子に沿わせるようにして電柱の上部に架設される電線を該ピン碍子に留めるための絶縁性の電線固定具であって、前記ピン碍子の上面を覆う本体部と、前記本体部の一端側に設けられ前記電線に掛止する電線掛止部と、前記本体部の他端側に螺装されると共に進出して先端の押え爪部材を前記ピン碍子の外周面に押し当て前記電線を前記電線掛止部により該ピン碍子側へ引き寄せて固定する締止部材と、からなることを特徴とする電線固定具。
【発明の詳細な説明】
【０００１】
【発明の属する技術分野】
本発明は、ピン碍子に沿わせるようにして電柱の上部に架設される電線、例えば高圧電線における本線または本線と本線を接続するための縁回り電線をピン碍子に留めるための電線固定具に関するものである。
【０００２】
【従来の技術】
例えば、高圧電線を電柱間に架設する場合、電柱の前後で腕金から耐張碍子を互いに反対方向へ延設し、これら耐張碍子に連接される引留クランプに本線（高圧電線）の端部をそれぞれ接続している。前記引留クランプは通常引留クランプカバーにより被覆される。また、前記電柱を挟んだ両側の本線を電気的に接続するため、両本線の端部間に縁回り電線を接続している。この縁回り電線は一方の引留クランプカバーから引き出され、上方に立ち上げられると共に腕金上面に立設されるピン碍子に留められ、他方の引留クランプカバーに引き入れられる。なお、前記ピン碍子は、電線が風等で揺れ電線間事故を起こさないようにする必要があることから、高く設置されている。
【０００３】
【発明が解決しようとする課題】
前記電線をピン碍子に留め固定するには、そのピン碍子に電線を沿わせた状態で、長い金属製のバインド線を電線更にはピン碍子に螺旋状に巻回するようにしているが、バインド線が長くしかもしっかり巻回させる必要があることから、電線の固定作業が面倒であり作業能率が良くないという課題がある。また、仮に電線の被覆層にピンホールがあると前記バインド線が帯電する場合がある。このような状態で、鳥が営巣目的をもって縁回り電線の部位に飛来し、腕金を基礎にしてその腕金と縁回り電線との間に営巣材として針金等の金属線材を持ち込むと、帯電した前記バインド線に触れて短絡し、配電線事故を起こすという課題がある。
【０００４】
そこで、本発明は上記課題を解決すべくなされたもので、簡単な操作によりピン碍子に被着できて作業性に優れ、しかも電線がピン碍子にしっかりと固定でき、これにより配電線事故を起こさないようにした電線固定具を提供することを目的とするものである。
【０００５】
【課題を解決するための手段】
かかる目的を達成するため、本発明に係る電線固定具は、ピン碍子に沿わせるようにして電柱の上部に架設される電線を該ピン碍子に留めるための電線固定具であって、前記ピン碍子に被着するため中空でありかつ下面が開放される絶縁性のカバー部材と、前記カバー部材内に配置されると共に前記電線に掛止して該電線を固定するための掛止部材と、から構成される。
【０００６】
このように、ピン碍子に絶縁性のカバー部材を被着するのみで電線が固定できることとなり、作業が簡単になる。また、カバー部材が絶縁性を有することから、このカバー部材に営巣材として針金等の金属線材が接触しても短絡することがなく、配電線事故が防止される。また、前記カバー部材内に前記電線に掛止して該電線を固定するための掛止部材を配置することにより、電線がピン碍子にしっかりと固定され、長期使用にも十分耐えることができる。
【０００７】
前記掛止部材は、例えば、基端部が前記カバー部材の内周面に固着される弾性を備えた金属線からなり、その先端部には前記電線に掛止して該電線を前記ピン碍子に固定しておくための電線掛止部を設けた構成が選ばれる。
【０００８】
また、他の電線固定具として、ピン碍子に沿わせるようにして電柱の上部に架設される電線を該ピン碍子に留めるための絶縁性の電線固定具であって、前記ピン碍子の上面を覆う本体部と、前記本体部の一端側に設けられ前記電線に掛止する電線掛止部と、前記本体部の他端側に螺装されると共に進出して先端の押え爪部材を前記ピン碍子の外周面に押し当て電線を電線掛止部によりピン碍子側へ引き寄せて固定する締止部材と、からなる構成がある。
【０００９】
【発明の実施の形態】
以下、本発明に係る電線固定具の実施の形態を図面と共に説明する。なお、電線には、電柱間に架設される本線と両本線の端部間を接続する縁回り電線とがあるが、その一例として縁回り電線について説明する。図１乃至図１０は第一実施の形態に係る電線固定具を示すもので、図１は電線固定具の正面図、図２は同平面図、図３は同側面図、図４は図１のＶ−Ｖ線断面図、図５は図２のＷ−Ｗ線断面図をそれぞれ示す。
【００１０】
電線固定具Ａは、後記するピン碍子Ｐに被着するカバー部材１と、該カバー部材１内に配置されかつインサート成形によりカバー部材１と一体に成形されかつ後記する電線Ｄに掛止して該電線Ｄを固定する掛止部材２と、から構成されている。前記カバー部材１は、ガラス繊維が混入され、硬質のポリエチレン等の硬質合成樹脂材といった絶縁性及び難燃性を有する材質により成形され、内部が中空でありかつ下面が開放している。更に詳しく説明すると、大径椀部３ａとその上面に一体に設けられ連通する小径椀部３ｂとを有し、この小径椀部３ｂ内にピン碍子Ｐ上端の第一傘部ｐ１が嵌入し、また大径椀部３ａ内に次の第二傘部ｐ２が嵌入し得るようにその大きさが選ばれる。
【００１１】
前記大・小径椀部３ａ，３ｂの両側には、その一端側位置に大・小径椀部３ａ，３ｂのほぼ中間に位置しかつ内部と連通すると共に互いに反対方向へほぼ直線的に伸びる軸筒部４がそれぞれ一体的に突設されている。この軸筒部４は電線Ｄが挿通されるもので、先端が開口５すると共にその先端に向かって漸次小径となるテーパ部６が設けられる。また、このテーパ部６には、その外周面に所定の間隔離してテーパ部６の中心軸線に対し直角をなす複数本の環状薄肉部７が設けられる。これは、外径寸法の異なる電線Ｄに対応できるようにするためであり、使用される電線Ｄの外径と同じ寸法の環状薄肉部７に沿って簡単に切断できるようになっている。
【００１２】
また、前記各軸筒部４の下側に、前記大径椀部３ａに亘り各軸筒部４の中心軸線と平行な切り込み８が設けられ、大径椀部３ａを含め両軸筒部４が切り込み８によって自在に開閉できるようになっている。これにより電線Ｄに被着可能となる。各軸筒部４の切り込み８の両側に、その切り込み８に沿って連結片９がそれぞれ一体に延設されている。これら対峙する連結片９には、互いに嵌脱自在に係合する係合片１０と係合孔１１が対応位置させて設けられる。これら係合片１０と係合孔１１は対峙する連結片９を互いに強く挟むことにより係合できる。前記大径椀部３ａの外周面中央の対向位置に前記軸筒部４とほぼ直角をなす一対の挟持片１２が突設される。これは、電線固定具Ａを例えば後記する絶縁ヤットコＹを使用して遠隔操作によりピン碍子Ｐに被着する場合、前記絶縁ヤットコＹの先端挟着部１６により挟持し得るようにするためのものである。
【００１３】
前記掛止部材２は弾性を備えた金属線、または例えばＦＲＰ等の十分硬度を持った樹脂材から成形され、図２に示すように平面Ｕ字状をなし、基端部１３ａ側から伸びる両腕杆部１３ｂの先端に電線Ｄに掛止するフック状の電線掛止部１４が設けられる。そして、掛止部材２は、電線掛止部１４が軸筒部４側に位置するようにして小径椀部３ｂ内に配置され、基端部１３ａが小径椀部３ｂの内周面に形成された膨出部１５内にインサート成形により一体に固着されている。前記腕杆部１３ｂの長さ寸法や電線掛止部１４の形状は、切り込み８を開いて電線固定具Ａを電線Ｄと共にピン碍子Ｐに被着する際、電線掛止部１４が電線Ｄに掛止でき、しかも被着した後は、電線掛止部１４が緩んで電線Ｄがガタつかないように設定される。
【００１４】
第一実施の形態に係る電線固定具Ａは上記構成よりなり、次に図６乃至図１０に基づきその取付方法について説明する。図中、ＤＣは電柱、Ｕはその電柱ＤＣの上部に横架される腕金であり、その上面にピン碍子Ｐが立設されている。また、前記腕金Ｕから耐張碍子Ｔが互いに反対方向へ延設され、これら耐張碍子Ｔに連接される引留クランプ（図示せず。）に電線Ｄである本線Ｈの端部をそれぞれ接続している。前記引留クランプは通常引留クランプカバーＫにより被覆される。また、前記電柱ＤＣを挟んだ両側の本線Ｈを電気的に接続するため、両本線Ｈの端部間に電線Ｄである縁回り電線Ｆを接続している。この縁回り電線Ｆは、ピン碍子Ｐの一側であって上端の第一傘部ｐ１と第二傘部ｐ２との間の環状窪みＯに沿うようにして配設される。前記本線Ｈは高圧電線であり、取付作業は活線状態で行なわれる。作業者は作業車に装着された昇降自在なバケット（図示せず。）に乗り込み、絶縁ヤットコＹと称される工具を用いる。
【００１５】
そして、作業者はバケットを上昇させ、切り込み８を開けた状態で反対側の挟持片１２を絶縁ヤットコＹの先端挟着部１６により挟持して電線固定具Ａを図６に示すように持ち上げる。次に、図７に示すように切り込み８間に縁回り電線Ｆを介入し、この縁回り電線Ｆを両軸筒部４内に入れると共に掛止部材２先端の両電線掛止部１４を縁回り電線Ｆに掛け止める。更に、大径・小径椀部３ａ，３ｂをピン碍子Ｐに被せる。最後に、対峙する両連結片９を前記絶縁ヤットコＹの先端挟着部１６により挟持して係合孔１１に係合片１０を係合させる。
【００１６】
これにより、図８乃至図１０に示すようにピン碍子Ｐに縁回り電線Ｆが固定され、小径椀部３ｂと大径椀部３ａ内に上端の第一傘部ｐ１と第二傘部ｐ２がそれぞれ嵌り込んだ状態でカバー部材１がピン碍子Ｐに被着される。このように、カバー部材１をピン碍子Ｐに被着すると同時に掛止部材２も電線Ｄに掛止できるようになっており、カバー部材１の取付が簡単である。また、これと同時に、掛止部材２により電線Ｄがピン碍子Ｐにしっかりと固定され、長期使用にも十分耐え得るようになっている。更に、カバー部材１は、ポリエチレン等の合成樹脂材といった絶縁性及び難燃性を有する材質により成形されていることから、針金等の金属線材が接触しても短絡することがなく、しかも強度的に強くて破損のおそれも少ないばかりか耐候性に優れる。
【００１７】
図１１乃至図１７は、第二実施の形態に係る電線固定具Ａ２を示すもので、この電線固定具Ａ２は、縁回り電線Ｆが上端の第一傘部ｐ１の上面に設けられた直線状窪みＯ１に沿って配設されたピン碍子Ｐに被着するようにしたものである。なお、本実施の形態と同一部位は同一番号を付すことにより詳しい説明は省略する。
【００１８】
前記電線固定具Ａ２は、ピン碍子Ｐに被着するカバー部材１と、該カバー部材１内に配置されると共にインサート成形によりカバー部材１と一体に成形されかつ電線Ｄに掛止して該電線Ｄを固定する掛止部材２と、から構成されている。前記と同様にカバー部材１は、ガラス繊維が混入され、硬質のポリエチレン等の硬質合成樹脂材といった絶縁性及び難燃性を有する材質により成形され、内部が中空でありかつ下面が開放している。更に詳しく説明すると、椀状本体部３内にピン碍子Ｐ上端の第一傘部ｐ１が嵌入し得るようにその大きさが選ばれる。
【００１９】
前記椀状本体部３の両側には、その中央位置に内部と連通すると共に互いに反対方向へ直線的に伸びる軸筒部４がそれぞれ一体的に突設されている。この軸筒部４は、先端が開口５すると共にその先端に向かって漸次小径となるテーパ部６が設けられる。また、このテーパ部６には、前記と同様にその外周面に所定の間隔離してテーパ部６の中心軸線に対し直角をなす複数本の環状薄肉部７が設けられる。
【００２０】
また、前記各軸筒部４の下側には、前記椀状本体部３に亘り各軸筒部４の中心軸線と平行に切り込み８が設けられ、椀状本体部３を含め両軸筒部４が切り込み８によって自在に開閉できるようになっている。各軸筒部４の切り込み８の両側にはその切り込み８に沿って連結片９がそれぞれ一体に延設されている。これら対峙する連結片９には、互いに嵌脱自在に係合する係合片１０と係合孔１１が対応位置させて設けられる。これら係合片１０と係合孔１１は対峙する連結片９を互いに強く挟むことにより係合できる。前記椀状本体部３の外周面中央の対向位置に前記軸筒部４とほぼ直角をなす一対の挟持片１２が突設される。
【００２１】
前記掛止部材２も弾性の有る金属線、または例えばＦＲＰ等の十分硬度を持った樹脂材から成形され、図１２に示すように平面略Ｕ字状をなし、基端部１３ａ側から伸びる両腕杆部１３ｂの先端に電線Ｄに掛止するフック状の電線掛止部１４が設けられる。そして、掛止部材２は、電線掛止部１４が中央側に位置するようにして椀状本体部３内に配置され、基端部１３ａが椀状本体部３の内周面に形成された膨出部１５内にインサート成形により一体に固着されている。前記腕杆部１３ｂの長さ寸法や電線掛止部１４の形状は、切り込み８を開いて電線Ｄと共にピン碍子Ｐに電線固定具Ａを被着する際、電線掛止部１４が電線Ｄに掛止でき、しかも被着した後は、電線掛止部１４が緩んで電線Ｄががたつかないように設定される。
【００２２】
第二実施の形態に係る電線固定具Ａ２は上記構成よりなり、第一実施の形態に係る電線固定具Ａの場合と同様に絶縁ヤットコＹを用いて、切り込み８を開けた状態で反対側の挟持片１２を絶縁ヤットコＹの先端挟着部１６により挟持して電線固定具Ａ２を持ち上げる。次に、切り込み８間に縁回り電線Ｆを介入し、この縁回り電線Ｆを両軸筒部４内に入れると共に掛止部材２先端の両電線掛止部１４を電線Ｄに掛け止めて椀状本体部３をピン碍子Ｐに被せる。最後に、対峙する両連結片９を前記絶縁ヤットコＹの先端挟着部１６により挟持して係合孔１１に係合片１０を係合させる。
【００２３】
これにより、図１６、図１７に示すように、ピン碍子Ｐに電線Ｄが固定され、椀状本体部３内に上端の第一傘部ｐ１が嵌り込んだ状態でカバー部材１がピン碍子Ｐに被着される。このようにカバー部材１を被着すると同時に掛止部材２も掛止できるようになっており、カバー部材１の取付が簡単である。また、これと同時に、掛止部材２により電線Ｄがピン碍子Ｐにしっかりと固定され、長期使用にも十分耐え得るようになっている。更に、カバー部材１は、ポリエチレン等の合成樹脂材といった絶縁性及び難燃性を有する材質により成形されていることから、針金等の金属線材が接触しても短絡することがなく、しかも強度的に強くて破損のおそれも少ないばかりか耐候性に優れる。
【００２４】
図１８乃至図２３は、第三実施の形態に係る電線固定具Ａ３を示すもので、第一実施の形態と同様に縁回り電線Ｆがピン碍子Ｐの一側であって上端の第一傘部ｐ１と第二傘部ｐ２との間の環状窪みＯに沿うようにして配設される場合に使用するものである。この電線固定具Ａ３は、前記と同様にガラス繊維が混入され、硬質のポリエチレン等の硬質合成樹脂材といった絶縁性及び難燃性を有する材質により成形される。
【００２５】
そして、前記電線固定具Ａ３は、ピン碍子Ｐの上面を覆う略方形平板状の本体部１７を有し、この本体部１７の一端に前記ピン碍子Ｐの一側に沿う前記縁回り電線Ｆに掛止する電線掛止部１８が設けられる。電線掛止部１８は、図１９、図２０に示すように本体部１７の一端から下方へ断面半円弧状に一体に延設され、本体部１７の両側より外側に張り出させて設けられている。一方、本体部１７の他端には、前記電線掛止部１８と同方向に折曲しかつ電線掛止部１８に対し本体部１７の上面と平行な面上でやや傾く保持板部１９が一体に設けられている。また、この保持板部１９にはほぼ中央部に螺子孔２０が貫設される。この螺子孔２０は内側が上を向くように開設される。
【００２６】
前記螺子孔２０にはこの螺子孔２０に沿って進退動する締止部材２１が螺装される。この締止部材２１は、前記縁回り電線Ｆを前記ピン碍子Ｐへ押圧して固定するためのものであり、前記螺子孔２０に螺合される螺子軸２１ａを有し、保持板部１９の内側に位置する螺子軸２１ａの端部に凹窪部２２を有する押え爪部材２３が設けられている。この押え爪部材２３は螺子軸２１ａに対し自在に回転できるようになっている。前記保持板部１９の外側に位置する螺子軸２１ａの端部には、絶縁性の操作棒Ｓにより操作されるアダプター２４が一体に設けられる。このアダプター２４は、後端面が開放される中空状の円筒体２４ａからなり、この円筒体２４ａの周面に対向位置して後端縁側が開放する一対のＴ型係合溝２５が設けられている。
【００２７】
第三実施の形態に係る電線固定具Ａ３は上記構成よりなり、アダプター２４の両Ｔ型係合溝２５に操作棒Ｓ先端の一対の係合ピン２６を挿入し、電線固定具Ａ３を持ち上げる。そして、この電線固定具Ａ３をピン碍子Ｐに被着する。この際、本体部１７を第一傘部ｐ１の上面に位置させると共に縁回り電線Ｆに電線掛止部１８を掛止させる。この状態で、前記操作棒Ｓを回転させて螺子軸２１ａを保持板部１９の内側へ進出させ、先端の凹窪部２２をピン碍子Ｐの第一傘部ｐ１と第二傘部ｐ２との間の環状窪みＯに介在させてその外周面に押し当たる。この動作を続けることにより、前記電線掛止部１８がピン碍子Ｐ側へ移動し、図２２、図２３に示すように前記縁回り電線Ｆがピン碍子Ｐ側へ引寄せられ電線掛止部１８とにより締付け固定される。作業が終われば、アダプター２４から操作棒Ｓの先端部を抜いて取り外す。
【００２８】
このような電線固定具Ａ３は、操作棒Ｓを回転させるのみでピン碍子Ｐに被着でき、作業が極めて簡単になる。しかも、縁回り電線Ｆがピン碍子Ｐにしっかりと固定され、長期使用にも十分耐え得るようになっている。また、本体部１７は、先に説明したようにポリエチレン等の合成樹脂材といった絶縁性及び難燃性を有する材質により成形されていることから、針金等の金属線材が接触しても短絡することがなく、しかも強度的に強くて破損のおそれも少ないばかりか耐候性に優れる。
【００２９】
なお、前記電線を固定するための掛止部材は第一・第二実施の形態で説明した構成に限るものではない。
【００３０】
【発明の効果】
以上説明したように本発明に係る電線固定具は、ピン碍子に被着するため中空でありかつ下面が開放される絶縁性のカバー部材と、前記カバー部材内に配置されると共に電線に掛止して該電線を固定するための掛止部材とから構成され、ピン碍子にカバー部材を被着するのみで、電柱の上部に架設される電線をピン碍子に留めて固定することができることから、電線の固定作業が簡単となり作業能率が向上する。また、前記カバー部材に営巣材として針金等の金属線材が接触しても短絡することがなく、配電線事故が防止される。更に、前記カバー部材内に前記電線に掛止して該電線を固定するための掛止部材を配置するようにしたので、電線がピン碍子にしっかりと固定され、長期使用に十分耐えることができる。
【００３１】
また、ピン碍子の上面を覆う絶縁性の本体部と、前記本体部の一端側に設けられ前記ピン碍子の一側に沿う電線に掛止する電線掛止部と、前記本体部の他端側に螺装されると共に進出して先端の押え爪部材を前記ピン碍子の外周面に押し当て電線を電線掛止部によりピン碍子側へ引き寄せて固定する締止部材と、からなる電線固定具にあっては、ピン碍子に被着してアダプターに操作棒の先端を差し込み、その操作棒を回転させるのみでピン碍子に電線が固定できるので、操作が極めて簡単となり、作業能率が一層向上するという効果がある。
【図面の簡単な説明】
【図１】  第１実施の形態に係る電線固定具の正面図。
【図２】  第１実施の形態に係る電線固定具の平面図。
【図３】  第１実施の形態に係る電線固定具の側面図。
【図４】  図１のＶ−Ｖ線断面図。
【図５】  図２のＷ−Ｗ線断面図。
【図６】  第１実施の形態に係る電線固定具をピン碍子に被着する前の使用状態図。
【図７】  第１実施の形態に係る電線固定具の被着する状態を示す側面断面図。
【図８】  第１実施の形態に係る電線固定具をピン碍子に被着した後の使用状態図。
【図９】  第１実施の形態に係る電線固定具のピン碍子に被着した後の正面断面図。
【図１０】  第１実施の形態に係る電線固定具のピン碍子に被着した後の側面断面図。
【図１１】  第２実施の形態に係る電線固定具の正面図。
【図１２】  第２実施の形態に係る電線固定具の平面図。
【図１３】  第２実施の形態に係る電線固定具の側面図。
【図１４】  図１１のＸ−Ｘ線断面図。
【図１５】  図１２のＹ−Ｙ線断面図。
【図１６】  第２実施の形態に係る電線固定具のピン碍子に被着した後の正面断面図。
【図１７】  第２実施の形態に係る電線固定具のピン碍子に被着した後の側面断面図。
【図１８】  第３実施の形態に係る電線固定具の正面図。
【図１９】  第３実施の形態に係る電線固定具の平面図。
【図２０】  第３実施の形態に係る電線固定具の側面図。
【図２１】  図１９のＺ−Ｚ線断面図。
【図２２】  第３実施の形態に係る電線固定具のピン碍子に被着した後の平面図。
【図２３】  第３実施の形態に係る電線固定具のピン碍子に被着した後の側面図。
【符号の説明】
１                カバー部材
２                掛止部材
４                軸筒部
１３ａ            基端部
１３ｂ            腕杆部
１４              電線掛止部
１７              本体部
１８              電線掛止部
２１              締止部材
２３              押え爪部材
Ａ，Ａ２，Ａ３    電線固定具
Ｄ                電線
ＤＣ              電柱
Ｐ                ピン碍子
【図１】
0003950674.tif 000002
【図２】
0003950674.tif 000003
【図３】
0003950674.tif 000004
【図４】
0003950674.tif 000005
【図５】
0003950674.tif 000006
【図６】
0003950674.tif 000007
【図７】
0003950674.tif 000008
【図８】
0003950674.tif 000009
【図９】
0003950674.tif 000010
【図１０】
0003950674.tif 000011
【図１１】
0003950674.tif 000012
【図１２】
0003950674.tif 000013
【図１３】
0003950674.tif 000014
【図１４】
0003950674.tif 000015
【図１５】
0003950674.tif 000016
【図１６】
0003950674.tif 000017
【図１７】
0003950674.tif 000018
【図１８】
0003950674.tif 000019
【図１９】
0003950674.tif 000020
【図２０】
0003950674.tif 000021
【図２１】
0003950674.tif 000022
【図２２】
0003950674.tif 000023
【図２３】
0003950674.tif 000024